(57)【特許請求の範囲】
【請求項１】
樋状の電線挿通部に結束バンド挿通用の孔部が貫設され、該電線挿通部の内面側に、該孔部から該電線挿通部の一側壁の開口端にかけて漸次拡幅された裾広がりの結束バンド案内用のガイド溝が設けられ、該電線挿通部内に複数本の電線が挿通された状態で、該ガイド溝から該孔部に結束バンドの先端部が挿入され、
前記電線挿通部の突出先端側の開口端に近い側の前記ガイド溝の一側面が、前記ガイド溝の底面から前記電線挿通部の内面にかけて前記突出先端側に向けて傾斜したことを特徴とする電線挿通部の結束バンド組付構造。
【請求項２】
前記電線挿通部の突出先端側の開口端に近い側の前記ガイド溝の一側面が、前記孔部から前記一側壁の開口端にかけて該突出先端側に向けて湾曲したことを特徴とする請求項１記載の電線挿通部の結束バンド組付構造。
【発明の詳細な説明】
【技術分野】
【０００１】
本発明は、例えば自動車に搭載される電気接続箱やハーネスプロテクタ等における電線挿通部にワイヤハーネスを結束バンドで締付固定させるための電線挿通部の結束バンド組付構造に関するものである。
【背景技術】
【０００２】
従来、例えば自動車に搭載される電気接続箱やハーネスプロテクタ等の電線挿通部に複数本の電線（ワイヤハーネス）を合成樹脂製の結束バンドで固定するために、種々の電線挿通部の結束バンド組付構造が提案されている。
【０００３】
例えば、特許文献１（図示せず）には、ワイヤハーネスを挿通保護する合成樹脂製の樋形状のハーネスプロテクタの端部に、合成樹脂製の結束バンドを挿通させる矩形状のバンド挿通口を設けると共に、バンド挿通口に続くバンド挿入溝を設けたことが記載されている。
【０００４】
また、特許文献２（図示せず）には、ワイヤハーネス同士を接続するコネクタ接続部を収容して位置決め支持する合成樹脂製のコネクタホルダに、凹状に湾曲した内面を有する二つのバンド挿通穴を設け、各バンド挿通穴に結束バンドを挿通してワイヤハーネスを結束固定させることが記載され、結束バンドは、帯状部の片面に鋸歯状の係止突起を有すると共に、基端側に挿通孔と内側の係止片とで成る矩形枠状の挿通係止部を有することが記載されている。
【０００５】
また、特許文献３（図示せず）には、リレーボックスやヒューズボックス等といった電気接続箱の合成樹脂製の接続箱本体に円弧壁とその両側の一対の貫通孔とを設け、結束バンドの先端部を一方の貫通孔に挿入してＵターンさせると共に、円弧壁の傾斜外面に沿って他方の貫通孔に手探りで挿入可能としたことが記載されている。
【先行技術文献】
【特許文献】
【０００６】
【特許文献１】特開２００７−１７４８２１号公報（図２）
【特許文献２】特開２０１０−２６５９４７号公報（図１，図５）
【特許文献３】特開２００９−７７４８４号公報（図５）
【発明の概要】
【発明が解決しようとする課題】
【０００７】
しかしながら、上記従来の電線挿通部の結束バンド組付構造にあっては、例えば樋状の電線挿通部に複数本の電線（ワイヤハーネス）を挿通した後、結束バンドの先端部を電線挿通部とワイヤハーネスとの間に通しつつ電線挿通部のバンド挿通用の孔部に挿通させる場合に、手探りで結束バンドの先端部をバンド挿通用の孔部に挿通させることが難しく、このバンド挿通作業を容易に且つ確実に行わせることが望まれていた。
【０００８】
本発明は、上記した点に鑑み、樋状の電線挿通部に複数本の電線（ワイヤハーネス）を挿通した後、結束バンドの先端部を電線挿通部とワイヤハーネスとの間に通しつつ電線挿通部のバンド挿通用の孔部に挿通させる場合に、バンド挿通作業を手探りでも容易に且つ確実に行うことのできる電線挿通部の結束バンド組付構造を提供することを目的とする。
【課題を解決するための手段】
【０００９】
上記目的を達成するために、本発明の請求項１に係る電線挿通部の結束バンド組付構造
は、樋状の電線挿通部に結束バンド挿通用の孔部が貫設され、該電線挿通部の内面側に、該孔部から該電線挿通部の一側壁の開口端にかけて漸次拡幅された裾広がりの結束バンド案内用のガイド溝が設けられ、該電線挿通部内に複数本の電線が挿通された状態で、該ガイド溝から該孔部に結束バンドの先端部が挿入され、前記電線挿通部の突出先端側の開口端に近い側の前記ガイド溝の一側面が、前記ガイド溝の底面から前記電線挿通部の内面にかけて前記突出先端側に向けて傾斜したことを特徴とする。
【００１０】
上記構成により、手探り作業であっても結束バンドの先端部が裾広がり（末広がり）のガイド溝の幅広の開口部分で容易に且つ確実に拾われてガイド溝に沿って孔部に案内される。電線挿通部の他側壁には孔部の延長上（バンド突出方向）に結束バンド挿通用の切欠部を設けることが、複数本の電線を確実に締め付ける上で好ましい。電線挿通部は電気接続箱やハーネスプロテクタ等に設けられる。
また、ガイド溝の一側面に沿う結束バンドの先端部が、ガイド溝の底面から鈍角的な開角度で傾斜した該一側面で底面側に案内されて、底面に沿って孔部にスムーズ且つ確実に案内される（ガイド溝からの結束バンドの先端部の離脱が防止される）。
【００１１】
請求項２に係る電線挿通部の結束バンド組付構造は、請求項１記載の電線挿通部の結束バンド組付構造において、前記電線挿通部の突出先端側の開口端に近い側の前記ガイド溝の一側面が、前記孔部から前記一側壁の開口端にかけて該突出先端側に向けて湾曲したことを特徴とする。
【００１２】
上記構成により、結束バンドの先端部が電線挿通部の突出方向先端側からガイド溝の湾曲状の（電線挿通方向に湾曲した）一側面に沿って孔部にスムーズ且つ確実に案内される。
【発明の効果】
【００１５】
請求項１記載の発明によれば、樋状の電線挿通部に複数本の電線を挿通した後、結束バンドの先端部を電線挿通部と複数本の電線との間に通しつつ電線挿通部のバンド挿通用の孔部に挿通させる場合に、結束バンドの先端部を裾広がりのガイド溝の幅広の開口部分で容易に且つ確実に拾うことができるから、バンド挿通作業を手探りでも容易に且つ確実に行うことができる。これにより、電線挿通部への複数本の電線の固定作業を効率良く行って、電線挿通部を有する電気接続箱やハーネスプロテクタ等の組立作業性を高めることができる。
また、結束バンドの先端部をガイド溝の傾斜状の一側面に沿ってガイド溝の底面側に案内して、ガイド溝からの結束バンドの離脱を防止することができる。
【００１６】
請求項２記載の発明によれば、作業者が電線挿通部の突出先端側から作業性良く結束バンドをガイド溝の湾曲状の一側面に沿って孔部にスムーズ且つ確実に挿入することができる。
【図面の簡単な説明】
【００１８】
【図１】本発明に係る電線挿通部の結束バンド組付構造の第一の実施形態を示す斜視図である。
【図２】同じく電線挿通部の結束バンド組付構造を上下反転して示す斜視図である。
【図３】図２のＡ−Ａ断面図である。
【図４】同じく電線挿通部の結束バンド組付構造を示す上方視斜視図である。
【図５】電線挿通部の結束バンド組付構造を有する電気接続箱の一形態を示す側面図である。
【図６】結束バンドでワイヤハーネスを締付固定した状態を示す図５のＢ−Ｂ相当断面図である。
【図７】本発明に係る電線挿通部の結束バンド組付構造の第二の実施形態を示す下方視斜視図である。
【図８】同じく電線挿通部の内面側を示す平面図である。
【図９】電線挿通部の結束バンド組付構造の外面側を示す上方視斜視図である。
【図１０】図９のＥ−Ｅ断面図である。
【図１１】結束バンドでワイヤハーネスを締付固定した状態を示す電気接続箱組立状態の要部断面図である。
【発明を実施するための形態】
【００１９】
図１〜図６は、本発明に係る電線挿通部の結束バンド組付構造の第一の実施形態を示すものである。
【００２０】
図１の如く、この電線挿通部の結束バンド組付構造は、合成樹脂製の電気接続箱本体１の樋状の電線導出壁（電線導出部ないし電線挿通部）２の内面２ａに結束バンド案内用の裾広がり（末広がり）のガイド溝３を周方向に設け、ガイド溝３の幅狭の先端部分３ａを電線導出壁２の結束バンド挿通用の孔部４（図２）に連通させ、末広がりのガイド溝３によって合成樹脂製の結束バンド５（図６）の先端部５ａを手探り作業でも孔部４に簡単且つ確実に案内させるようにしたものである。
【００２１】
電線導出壁２は半割状の湾曲状（断面略半円状）の壁部であり、図１，図２（上下を反転した図）の如く、断面略半円状の電線導出壁２の略半周（略１／４円周）の範囲で電線導出壁２の一側壁部６の下端から上壁部８の頂部にかけてガイド溝３が形成され、ガイド溝３は一側壁部６の下端（下部開口端６ａ）側で最も幅広に形成され（幅広部を符号３ｂで示す）、頂部側に向かうにつれて漸次テーパ湾曲状に幅狭に形成されて、バンド挿通用のスリット状の孔部４の直近において最も幅狭となっている（幅狭部を符号３ａで示す）。
【００２２】
ガイド溝３の前側の一側面３ｃは湾曲状に形成され、側面３ｃの裾部が電線導出壁３の先端（前端ないし前部開口端８ａ）に向けて湾曲し、且つ一側面３ｃとガイド溝３の底面３ｅとの交線９よりも一側面３ｃと電線導出壁２の内面２ａとの交線１０が前方に位置し、底面３ｅと一側面３ｃとの開角度が鈍角となるように一側面３ｃが前下がりに傾斜している。ガイド溝３の後側の他側面３ｄは湾曲状というよりも電線導出壁２の周方向に略直線状に延び、他側面３ｄとガイド溝３の底面３ｅ又は電線導出壁２の内面２ａとの交差角は略直角である。
【００２３】
図１の如く、複数本の電線（ワイヤハーネス）１１を電線導出壁２の内面２ａに沿って挿通させ、ガイド溝３がワイヤハーネス１１で覆われて見えない状態で、矢印ａ〜ｃの如くガイド溝３の下端の広い入口部分（開口部分）３ｂで結束バンド５（図６）の先端部５ａが手探りでもスムーズ且つ確実に拾われてガイド溝３内に挿入され、電線導出壁２とワイヤハーネス１１の外周面との間を通ってガイド溝３の幅狭な終端部分３ａからバンド挿通用の孔部４（図２）にスムーズに案内されて孔部４から外部に導出される。
【００２４】
図１，図２の如く、孔部４を通る周方向の延長線上（バンド挿通方向）において電線導出壁２の他側壁部７の下端から上向きにバンド案内用のスリット状の切欠部１２が設けられている。電線導出壁２の基端は接続箱本体１に一体に続き、電線導出壁２の内面２ａは接続箱本体１の内面１ａに湾曲状に滑らかに続き、電線導出壁２内の空間は接続箱本体１内の空間に連通している。
【００２５】
図３（図２のＡ−Ａ断面図）の如く、ガイド溝３は電線導出壁２の一方の半周部（一側壁６と上壁８の右半部）を外側に膨出させて形成され、一方の半周部と他方の半周部（他側壁７と上壁８の左半部）とは段差状に連続し、段差部１３（図４）にバンド挿通用の孔部４が設けられ、孔部４は電線導出壁２の厚み方向に短辺部４ａ（図４）を有し、電線導出壁２の長手（前後）方向に長辺部４ｂを有している。
【００２６】
図４の如く、電線導出壁２の外面にはテープ巻きずれ防止用のリブ１４が設けられ、リブ１４の後方に電線導出壁２の径方向外向きの膨出壁１５が位置し、膨出壁１５の上端に孔部４が開口し、孔部４の周方向の延長上に切欠部１２が位置している。膨出壁１５の前端壁１５ａは前下がりに傾斜し、後端壁１５ｂは電線導出壁２の基端側にほぼ直交し、電線導出壁２の基端側は接続箱本体（主体部）１側に続いている。
【００２７】
図５の如く、電線導出壁２を有する接続箱本体（フレーム）１には下部開口から上向きに接続ブロック１６が挿着された後、合成樹脂製のロアカバー１７や不図示のアッパカバーが装着される。接続ブロック１６は絶縁樹脂製のブロック本体にリレーやヒューズ等の電気部品やバスバー等を装着して成り、これら電気部品等に接続された複数本の電線１１ａ（図１）がワイヤハーネス１１としてフレーム１の電線導出壁２から外部に導出される。
【００２８】
ロアカバー１７は電線導出壁２の下側に対向して板状の電線支持壁１８を有し、電線支持壁１８もテープずれ防止用のリブ１９を有している。テープ巻きは防水のために行われる。電線導出壁２と電線支持壁１８とで電線導出部の全体が構成される。接続ブロック１６はフレーム１の内側に係止手段で係止され、ロアカバー１７とアッパカバーとはフレーム１の外側に各係止手段１９で係止される。フレーム１は上下に貫通した収容空間を有している。フレーム１と上下の各カバー１７と接続ブロック１６とで電気接続箱２０が構成される。
【００２９】
図６に図５のＢ−Ｂ断面を示す如く、結束バンド５の先端部５ａはロアカバー１７の組付前に矢印Ｃの如くワイヤハーネス１１の外周面１１ｂに沿ってフレーム１の電線導出壁２の一方の側壁部（一側壁）６の内側のガイド溝３に挿入されて孔部４から外部に突出し、次いで矢印Ｄの如く電線導出壁２の他方の側壁部７の切欠部１２を通って電線導出壁２の内側に入り、結束バンド５の基端の枠状の係止部５ｂに挿入されて係止部５ｂの内側の係止爪で帯部５ｃの鋸歯状の突起が係止される。図６で結束バンド５の不要な先端部分５ａは切断されている。
【００３０】
電線導出部２にワイヤハーネス１１を結束バンド５で締付固定した状態でロアカバー１７がフレーム１に装着される。ワイヤハーネス１１の外周面１１ｂは電線導出壁２の孔部４と切欠部１２との間の湾曲状の壁部分２１の内周面に密着し、壁部分２１の外周面に沿って結束バンド５の内面が密着し、その状態でワイヤハーネス１１が結束バンド５の緊迫力で壁部分２１に押し付けられて固定される。
【００３１】
図７〜図１１は、本発明に係る電線挿通部の結束バンド組付構造の第二の実施形態を示すものである。第二の実施形態は第一の実施形態と基本的に同じであり、電線導出壁３２の大きさ形状が少し異なる（電気接続箱すなわちフレーム３１の種類が異なる）ものである。
【００３２】
図７，図９の如く、フレーム３１の電線導出壁（電線導出部ないし電線挿通部）３２は断面半円状ではなく略矩形状の樋状に形成され、左右の垂直な側壁部３６，３７と上側の傾斜状の上壁部３８とを有している。図７，図８の如く、電線導出壁３２の一側壁部３６の下端（開口端）３６ａから上壁部３８にかけて内面側にガイド溝３３が設けられ、ガイド溝３３の下端は幅広な開口３３ｂをなし、ガイド溝３３の上端３３ａは幅狭に形成され、スリット状のバンド挿通用の孔部３４に連通している。
【００３３】
図８の如く、ガイド溝３３の後側の側面３３ｄは電線導出壁３２の周（幅）方向に直線的に延び、且つガイド溝３３の底面３３ｅに直交し、ガイド溝３３の前側の側面３３ｃは電線導出壁３２の前部開口端３８ａに向けて前向きに湾曲し、且つ底面３３ｅから前下がりの傾斜面となっている（図７では図示の角度上、側面３３ｃは直線的に見えるが実際は図８の側面３３ｃの如く湾曲している）。
【００３４】
前例の図１の矢印ａ〜ｃと同様に、前側の湾曲状で且つ前下がりの傾斜状の側面３３ｃによって、電線導出壁３２の前側（矢印ａ方向）からも径方向横側（矢印ｂｃ方向）からもスムーズに結束バンド５（図１１）の先端部５ａをガイド溝３３に挿入させることができる。フレーム３１に近づく程、結束バンド５の挿入作業はフレーム３１の垂直な外壁に邪魔されて難しくなるが、それを避けて特に電線導出壁３２の前側（矢印ａ方向）からガイド溝３３に作業性良く結束バンド５の先端部５ａを挿入することができる。
【００３５】
図７，図９の如く、電線導出壁３２の他側壁部３７にバンド案内用の切欠部４２が設けられ、図９の如く、電線導出壁３２の外面にテープずれ防止用のリブ４４が設けられている。最後尾のリブ４４ａの後側に隣接して電線導出壁３２に外向きの膨出壁部４５が形成され、膨出壁部４５の側端に孔部３４が開口している。孔部３４の周方向の延長上に切欠部４２が位置している。
【００３６】
図１０の如く、電線導出壁３２のガイド溝３３を有する一側壁部３６は外向きに傾斜し、切欠部４２を有する他側壁部３７は垂直に位置し、両側壁部３６，３７に続く上壁部３８は中央で段差状に交差して段差部４３に孔部３４が開口している。
【００３７】
図１１（ロアカバー４７の装着状態を示す）の如く、フレーム３１にロアカバー４７を装着する前に、結束バンド５の先端部５ａが電線導出壁３２のガイド溝３３から孔部３４に挿通され、さらに孔部３４から一方の低い上壁部３８ａと側壁部３７とで成る屈曲状の壁部分５１の外側を経て切欠部４２に挿通され、結束バンド５の基端の係止部５ｂに挿通係止され、ワイヤハーネス１１が壁部分５１の内面に結束バンド５で締め付け固定される。結束バンド５の係止部５ｂはロアカバー４７内に収容される。
【００３８】
なお、上記各実施形態においては、電気接続箱２０，５０のフレーム１，３１に樋状（正確には逆樋状）の電線導出壁２，３２を設けたが、例えば、バンド挿通用の裾広がりのガイド溝３，３３を有する樋状の電線導出壁２，３２をフレーム１，３１ではなくロアカバー１７，４７に設けることも可能である。また、上記各実施形態においては、フレーム１と接続ブロック１６と上下のカバー１７とで電気接続箱２０を構成したが、例えば上カバーと下カバーと下カバー内に装着される電気部品等で電気接続箱を構成し、下カバー（接続箱本体）にバンド挿通用の裾広がりのガイド溝（３，３３）を有する樋状の電線導出壁（２，３２）を設けることも可能である。
【００３９】
また、上記実施形態においては、接続箱本体１，３１に電線導出壁２，３２を設けたが、例えば接続箱本体に代えて合成樹脂製の矩形樋状のハーネスプロテクタの端部又は長手方向中間部の壁部（電線導出壁）の内面にバンド挿通用の裾広がりのガイド溝（３，３３）を設け、ガイド溝に続くバンド挿通用の孔部（４，３４）を壁部（電線導出壁）に設けることも可能である。
【００４０】
この場合も接続箱本体１，３１におけると同様に、ワイヤハーネス１１をハーネスプロテクタに挿通させた状態で、結束バンド５の先端部５ａをワイヤハーネス１１の外周面とハーネスプロテクタの電線導出壁との間でガイド溝（３，３３）に挿通させ、孔部（４，３４）から外部に導出させて、ワイヤハーネス１１を電線導出壁（２，３２）に結束バンド５で締め付け固定させる。バンド案内（挿通）用の切欠部１２，４２は設けた方が好ましが、電線導出壁２，３２の高さが低い場合等は切欠部１２，４２を設けないことも可能である（これは接続箱本体の電線導出壁においても同様である）。接続箱本体１，３１やハーネスプロテクタ等を箱状体と総称することも可能である。
【産業上の利用可能性】
【００４１】
本発明に係る電線挿通部の結束バンド組付構造は、樋状の電線挿通部に複数本の電線（ワイヤハーネス）を挿通した後、結束バンドの先端部を電線挿通部とワイヤハーネスとの間に通しつつ電線挿通部のバンド挿入孔に挿通させる場合に、バンド挿通作業を手探りでも容易に且つ確実に行わせるために利用することができる。
【符号の説明】
【００４２】
２，３２      電線導出壁（電線挿通部）
３，３３      ガイド溝
３ｃ，３３ｃ  一側面
３ｅ，３３ｅ  底面
４，３４      孔部
５            結束バンド
５ａ          先端部
６，３６      一側壁
６ａ，３６ａ  開口端
８ａ，３８ａ  開口端
１１          ワイヤハーネス（複数本の電線）
【図１】
0005798360.tif 000002
【図２】
0005798360.tif 000003
【図３】
0005798360.tif 000004
【図４】
0005798360.tif 000005
【図５】
0005798360.tif 000006
【図６】
0005798360.tif 000007
【図７】
0005798360.tif 000008
【図８】
0005798360.tif 000009
【図９】
0005798360.tif 000010
【図１０】
0005798360.tif 000011
【図１１】
0005798360.tif 000012